(57)【要約】【課題】各階調のホワイトバランスおよびガンマ補正を行って映像画質の均一性を向上させることが可能な電子放出素子の駆動装置およびその駆動方法を提供する。【解決手段】外部から映像データ信号を受け，それに対応する第１カウントクロックまたは第２カウントクロックまたは第３カウントクロックを生成して出力する制御部３１０と，前記制御部３１０から出力される前記第１カウントクロックまたは前記第２カウントクロックまたは前記第３カウントクロックのいずれか１つを受け，前記映像データ信号をパルス幅変調して出力するデータ駆動部３２０とを含むことを特徴とする，電子放出素子の駆動装置が提供される。【選択図】図３
2006309126.tif 000002
【特許請求の範囲】
【請求項１】
外部から映像データ信号を受け，それに対応する第１カウントクロックまたは第２カウントクロックまたは第３カウントクロックを生成して出力する制御部と；
前記制御部から出力される前記第１カウントクロックまたは前記第２カウントクロックまたは前記第３カウントクロックのいずれか１つを受け，前記映像データ信号をパルス幅変調して出力するデータ駆動部と；
を含むことを特徴とする，電子放出素子の駆動装置。
【請求項２】
前記データ駆動部は，
前記制御部に入力された映像データ信号を受けて並列映像データ信号に変換する直列−並列データ変換部と；
前記直列−並列データ変換部で変換された並列映像データ信号およびその信号に対応するカウントクロックを受けてパルス幅変調して出力するパルス幅変調部と；
前記パルス幅変調部から出力された映像データ信号の極性を調整して出力する極性調整部と；
前記極性調整部で極性が調整された映像データ信号の電圧レベルを調整して出力するレベル変換部と；
を含むことを特徴とする，請求項１に記載の電子放出素子の駆動装置。
【請求項３】
前記制御部は，外部からの映像データ信号を判断し，前記外部からの映像データ信号の階調によって第１カウントクロックまたは第２カウントクロックまたは第３カウントクロックを生成することを特徴とする，請求項１または２に記載の電子放出素子の駆動装置。
【請求項４】
前記第１カウントクロックまたは前記第２カウントクロックまたは前記第３カウントクロックは，赤（Ｒ），緑（Ｇ），青（Ｂ）サブピクセルの階調に対応するクロックであることを特徴とする，請求項３に記載の電子放出素子の駆動装置。
【請求項５】
前記制御部は，前記映像データ信号の階調を判断し，前記映像データ信号によるＲ，Ｇ，Ｂサブピクセル階調である前記第１カウントクロックまたは前記第２カウントクロックまたは前記第３カウントクロックのいずれか１つを選択して出力することを特徴とする，請求項１〜４のいずれか１項に記載の電子放出素子の駆動装置。
【請求項６】
前記制御部で階調が判断された前記映像データ信号において，Ｒサブピクセルに対するホワイトバランスの調整が必要であれば，前記第１カウントクロックをオンタイムに対して調整することを特徴とする，請求項５に記載の電子放出素子の駆動装置。
【請求項７】
前記制御部で階調が判断された前記映像データ信号において，Ｇサブピクセルに対するホワイトバランスの調整が必要であれば，前記第２カウントクロックをオンタイムに対して調整することを特徴とする，請求項５に記載の電子放出素子の駆動装置。
【請求項８】
前記制御部で階調が判断された前記映像データ信号において，Ｂサブピクセルに対するホワイトバランスの調整が必要であれば，前記第３カウントクロックをオンタイムに対して調整することを特徴とする，請求項５に記載の電子放出素子の駆動装置。
【請求項９】
外部から入力される映像データ信号のＲ，Ｇ，Ｂサブピクセル単位でカウントクロックを計算する段階と；
各サブピクセルに対応する第１カウントクロック，第２カウントクロックおよび第３カウントクロックを生成する段階と；
生成された前記第１カウントクロック，前記第２カウントクロックおよび前記第３カウントクロックの内，前記映像データ信号に対応するいずれか１つを選択的に受け，パルス幅変調周波数を変調して出力する段階と；
を含むことを特徴とする，電子放出素子の駆動方法。
【請求項１０】
前記変調されたパルス幅変調周波数によるパルスをカウントし，カウントされた時間に対応して前記映像データ信号の階調を表現することを特徴とする，請求項９に記載の電子放出素子の駆動方法。
【請求項１１】
前記変調されたパルス幅変調周波数によるパルスをカウントし，カウントされた数に比例して電圧レベルを上昇させて前記映像データ信号の階調を表現することを特徴とする，請求項９に記載の電子放出素子の駆動方法。
【請求項１２】
生成された前記第１カウントクロック，前記第２カウントクロックおよび前記第３カウントクロックの内，前記映像データ信号のＲサブピクセルに対応するカウントクロックを選択し，パルス幅変調周波数を変調して出力することを特徴とする，請求項９〜１１のいずれか１項に記載の電子放出素子の駆動方法。
【請求項１３】
生成された前記第１カウントクロック，前記第２カウントクロックおよび前記第３カウントクロックの内，前記映像データ信号のＧサブピクセルに対応するカウントクロックを選択し，パルス幅変調周波数を変調して出力することを特徴とする，請求項９〜１２のいずれか１項に記載の電子放出素子の駆動方法。
【請求項１４】
生成された前記第１カウントクロック，前記第２カウントクロックおよび前記第３カウントクロックの内，前記映像データ信号のＢサブピクセルに対応するカウントクロックを選択し，パルス幅変調周波数を変調して出力することを特徴とする，請求項９〜１３のいずれか１項に記載の電子放出素子の駆動方法。
【発明の詳細な説明】
【技術分野】
【０００１】
本発明は電子放出素子の駆動装置およびその駆動方法に関する。
【背景技術】
【０００２】
一般に，フラットパネルディスプレイ（ＦＰＤ；Ｆｌａｔ  Ｐａｎｅｌ  Ｄｉｓｐｌａｙ）は，２枚の基板間に側壁を立てて密閉容器を製造し，この容器の内部に適切な素材を配置して所望の画像を表示する装置であって，最近マルチメディアの発達につれてその重要性が高まっている。これに応え，液晶ディスプレイ（ＬＣＤ；Ｌｉｑｕｉｄ  Ｃｒｙｓｔａｌ  Ｄｉｓｐｌａｙ），プラズマディスプレイパネル（ＰＤＰ；Ｐｌａｓｍａ  Ｄｉｓｐｌａｙ  Ｐａｎｅｌ），電子放出表示装置（Ｅｌｅｃｔｒｏｎ  Ｅｍｉｓｓｉｏｎ  Ｄｉｓｐｌａｙ）などの多種のフラットパネルディスプレイが開発され実用化されている。
【０００３】
特に，電子放出表示装置は，陰極線管（ＣＲＴ；Ｃａｔｈｏｄｅ  Ｒａｙ  Ｔｕｂｅ）と同様に，電子線による蛍光体発光を用いることにより，陰極線管の優れた特性を維持しながらも，画像の歪みがないため，低消費電力の平面型ディスプレイに具現し得る可能性が高く，視野角，高速応答，高輝度，高精細，薄型などの観点で有用な次世代ディスプレイとして注目を浴びている。
【０００４】
一般に，電子放出素子（Ｅｌｅｃｔｒｏｎ  Ｅｍｉｓｓｉｏｎ  Ｄｅｖｉｃｅ）は，電子源として熱陰極を用いる方式と，冷陰極を用いる方式とがある。冷陰極を用いる方式の電子放出素子としては，ＦＥＡ（Ｆｉｅｌｄ  Ｅｍｉｔｔｅｒ  Ａｒｒａｙ）型，ＳＣＥ（Ｓｕｒｆａｃｅ  Ｃｏｎｄｕｃｔｉｏｎ  Ｅｍｉｔｔｅｒ）型，ＭＩＭ（Ｍｅｔａｌ−Ｉｎｓｕｌａｔｏｒ−Ｍｅｔａｌ）型，ＭＩＳ（Ｍｅｔａｌ−Ｉｎｓｕｌａｔｏｒ−Ｓｅｍｉｃｏｎｄｕｃｔｏｒ）型，ＢＳＥ（Ｂａｌｌｉｓｔｉｃ  ｅｌｅｃｔｒｏｎ  Ｓｕｒｆａｃｅ  Ｅｍｉｔｔｉｎｇ）などが知られている。
【０００５】
電子放出表示装置は，カソード電極，アノード電極およびゲート電極を有する３極管の構造を有する。具体的に，基板上に，一般に走査電極として使用されるカソード電極が形成され，カソード電極上に，ホールを有する絶縁層と，一般にデータ電極として使用されるゲート電極とが積層される。そして，ホールの内部に電子放出源のエミッタが形成され，これがカソード電極に接触する。
【０００６】
このように構成される電子放出表示装置は，エミッタに高電界を集中させて，量子力学的トンネル効果により電子を放出させ，エミッタから放出された電子を，カソード電極とアノード電極との間に印加された電圧で加速させて，アノード電極に形成されたＲＧＢ蛍光層に衝突させることで，蛍光体を発光させて映像を表現する。
【０００７】
放出された電子が蛍光層に衝突して蛍光体を発光させることにより表示される映像の輝度は，入力されるデジタル映像信号の値によって変わる。具体的に，デジタル映像信号の値はそれぞれ８ビットのＲＧＢデータで構成される。すなわち，デジタル映像信号の値の範囲は０（００００００００（２））〜２５５（１１１１１１１１（２））となり，この２５６個の値により２５６段階の階調が表現できる。このデジタル映像信号の値によって，色の輝度が表現される。
【０００８】
デジタル映像信号の値によって表現される輝度を調節するため，一般的にはパルス幅変調（ＰＷＭ；Ｐｕｌｓｅ  Ｗｉｄｔｈ  Ｍｏｄｕｌａｔｉｏｎ）方式または振幅変調（ＰＡＭ；Ｐｕｌｓｅ  Ａｍｐｌｉｔｕｄｅ  Ｍｏｄｕｌａｔｉｏｎ）方式が使用される。
【０００９】
ＰＷＭ方式は，データ電極駆動部から入力されるデジタル映像信号によって，データ電極に印加される駆動波形のパルス幅を変調する方式である。最大可用オンタイム（ｏｎ−ｔｉｍｅ）内にデジタル映像信号の値として２５５が入力される場合，パルス幅は最大となって最大輝度を表示し，デジタル映像信号の値として１２７が入力される場合，パルス幅は１／２となって輝度を調節することになる。
【００１０】
一方，ＰＡＭ方式は，入力されるデジタル映像信号にかかわらずパルス幅は一定であり，入力されるデジタル映像信号によって，データ電極に印加される駆動波形のパルス電圧レベル，つまりパルスの大きさを変化させることにより輝度を調節する。
【００１１】
図１は従来のＰＷＭ方式を用いた電子放出素子の駆動装置の構成を示す概略図である。図１に示したように，従来の電子放出素子の駆動装置は，外部から映像データ信号を受信し，これに対応するカウントクロックを生成して出力する制御部１１０と，制御部１１０から出力されるカウントクロックを受け，映像データ信号をパルス幅変調して出力するデータ駆動部１２０とを含む。図１において，「Ｄ」は映像データ信号を，「Ｓ」は走査信号を表す。
【００１２】
また，電子放出素子の駆動装置は，データ駆動部１２０から出力されたパルス幅変調信号を画像として表示する映像表示パネル１４０と，映像表示パネル１４０に走査信号を提供する走査駆動部１３０とをさらに含む。
【００１３】
データ駆動部１２０は，制御部１１０に入力された映像データ信号を受けて並列映像データ信号に変換する直列−並列データ変換部１２１と，直列−並列データ変換部１２１で変換された並列映像データ信号および制御部１１０から出力されたカウントクロックを受けて，並列映像データ信号をパルス幅変調して出力するパルス幅変調部１２２と，パルス幅変調部１２２から出力された映像データ信号の極性を調整して出力する極性調整部１２３と，極性調整部１２３で極性が調整された映像データ信号の電圧レベルを調整して出力するレベル変換部１２４とを含む。
【００１４】
直列−並列変換部１２１は，制御部１１０から映像データ信号を直列で受けた後，これを映像表示パネル１４０のデータ線（図示せず）に印加するため，並列信号に変換して出力する。
【００１５】
パルス幅変調部１２２は，直列−並列変換部１２１で変換した並列映像データ信号を，パルス幅変調クロック信号に合わせて変調した，パルス幅変調信号を生成する。すなわち，制御部１１０から発生したパルス幅変調クロック変換指数およびオンタイム指数に基づいて変換された，パルス幅変調信号およびオンタイムをそれぞれ受ける。
【００１６】
極性調整部１２３は，パルス幅変調部１２２から出力されたパルス幅変調信号と，制御部１１０から出力された極性調整信号とを同時に受けた後，極性調整信号によって選択的にパルス幅変調信号の波形の極性を調整して出力する。
【００１７】
レベル変換部１２４は，映像表示パネル１４０のデータ電極に印加するための電圧形成部であって，極性調整部１２３から出力された映像データ信号の電圧レベルを調整して出力する。
【００１８】
一方，走査駆動部１３０は，走査線（図示せず）に，一定期間の間にローまたはハイ信号を映像表示パネル１４０の特定行別に印加して，一定期間の間に特定行を選択するようにし，オンタイムによってブランキング信号のようなオンタイム決定信号の生成を行う。
【００１９】
映像表示パネル１４０は，複数のデータ線（ゲート電極またはカソード電極）と複数の走査線（ゲート電極またはカソード電極）が交差し，各交差点に画素（図示せず）が形成される。各画素はゲート電極とカソード電極を備えており，データ線と走査線を介してデータ信号および走査信号を受ける。ここで，走査線を介して入力される走査信号により複数の画素行が順次選択され，データ信号がデータ線を介して，走査信号により選択された画素行に伝達されて，画素で発光して画像を形成する。
【００２０】
図２は，従来の映像データ信号による走査信号およびパルス幅変調クロックの変化を示すタイミング図である。図２に示したように，一般に，アクティブマトリックス駆動の電子放出素子において，オンタイムを決定するカウントクロックは，出力される映像データ信号に関係なく一定に提供されていた。すなわち，従来はＲ，Ｇ，Ｂ特性に関係なく同一にオンタイムを制御していた。
【００２１】
【特許文献１】米国特許第６，５４９，１８１  Ｂ２号明細書
【特許文献２】米国特許第４，００８，３９９  Ａ１号明細書
【発明の開示】
【発明が解決しようとする課題】
【００２２】
これは線形的特性を提供するが，ガンマ補正またはＲ，Ｇ，Ｂ特性による個別的な制御は難しかった。したがって，Ｒ，Ｇ，Ｂサブピクセルの１つが相対的に優れるかまたは劣る場合，ホワイトバランスが合わずに，映像画質の均一性の問題など，様々な問題点が発生した（たとえば，特許文献１および２参照）。
【００２３】
本発明はこのような問題点に鑑みてなされたもので，その目的とすることは，各階調のホワイトバランスの調整およびガンマ補正を行って映像画質の均一性を向上させることが可能な，電子放出素子の駆動装置およびその駆動方法を提供することにある。
【課題を解決するための手段】
【００２４】
上記課題を解決するために，本発明のある観点によれば，外部から映像データ信号を受け，それに対応する第１カウントクロックまたは第２カウントクロックまたは第３カウントクロックを生成して出力する制御部と，前記制御部から出力される第１カウントクロックまたは第２カウントクロックまたは第３カウントクロックのいずれか１つを受け，前記映像データ信号をパルス幅変調して出力するデータ駆動部と，を含んでなることを特徴とする，電子放出素子の駆動装置が提供される。
【００２５】
上記データ駆動部は，上記制御部に入力された映像データ信号を受けて並列データ信号に変換する直列−並列データ変換部と，直列−並列データ変換部で変換された並列映像データ信号およびその信号に対応するカウントクロックを受けてパルス幅変調して出力するパルス幅変調部と，パルス幅変調部から出力された信号の極性を調整して出力する極性調整部と，極性調整部で極性が調整された信号の電圧レベルを調整して出力するレベル変換部と，を含んでいてもよい。
【００２６】
上記制御部は，上記外部から受ける映像データ信号を判断し，映像データ信号の階調によって第１カウントクロックまたは第２カウントクロックまたは第３カウントクロックを生成してもよい。
【００２７】
上記第１カウントクロックまたは上記第２カウントクロックまたは上記第３カウントクロックは，赤（Ｒ），緑（Ｇ），青（Ｂ）サブピクセルの階調に対応するクロックであってもよい。
【００２８】
上記制御部は，上記映像データ信号の階調を判断し，それによるＲ，Ｇ，Ｂサブピクセル階調の第１カウントクロックまたは第２カウントクロックまたは第３カウントクロックのいずれか１つを選択して出力してもよい。
【００２９】
上記制御部で階調が判断された映像データ信号において，Ｒサブピクセルに対するホワイトバランスの調整が必要であれば，第１カウントクロックをオンタイムに対して調整してもよい。
【００３０】
上記制御部で階調が判断された映像データ信号において，Ｇサブピクセルに対するホワイトバランスの調整が必要であれば，第２カウントクロックをオンタイムに対して調整してもよい。
【００３１】
上記制御部で階調が判断された映像データ信号において，Ｂサブピクセルに対するホワイトバランスの調整が必要であれば，第３カウントクロックをオンタイムに対して調整してもよい。
【００３２】
また，上記課題を解決するために，本発明の別の観点によれば，外部から入力される映像データ信号のＲ，Ｇ，Ｂサブピクセル単位でカウントクロックを計算する段階と，各サブピクセルに対応する第１カウントクロック，第２カウントクロックおよび第３カウントクロックを生成する段階と，生成された前記第１カウントクロック，前記第２カウントクロックおよび前記第３カウントクロックの内，前記映像データ信号に対応するいずれか１つを選択的に受けてパルス幅変調周波数を変調して出力する段階と，を含むことを特徴とする，電子放出素子の駆動方法が提供される。
【００３３】
上記電子放出素子の駆動方法は，変調されたパルス幅変調周波数によるパルスをカウントし，カウントされた時間に対応して上記映像データ信号の階調を表現してもよい。
【００３４】
上記電子放出素子の駆動方法は，前記変調されたパルス幅変調周波数によるパルスをカウントし，カウントされた数に比例して電圧レベルを上昇させて前記映像データ信号の階調を表現してもよい。
【００３５】
上記電子放出素子の駆動方法で生成された上記第１カウントクロック，上記第２カウントクロックおよび上記第３カウントクロックの内，上記映像データ信号のＲサブピクセルに対応するカウントクロックを選択し，パルス幅変調周波数を変調して出力してもよい。
【００３６】
上記電子放出素子の駆動方法で生成された上記第１カウントクロック，上記第２カウントクロックおよび上記第３カウントクロックの内，上記映像データ信号のＧサブピクセルに対応するカウントクロックを選択し，パルス幅変調周波数を変調して出力してもよい。
【００３７】
上記電子放出素子の駆動方法で生成された上記第１カウントクロック，上記第２カウントクロックおよび上記第３カウントクロックの内，上記映像データ信号のＢサブピクセルに対応するカウントクロックを選択し，パルス幅変調周波数を変調して出力してもよい。
【発明の効果】
【００３８】
以上のように，本発明による電子放出表示装置の駆動装置およびその駆動方法は，各階調のホワイトバランスの調整およびガンマ補正を行って，映像画質の均一性を向上させることができる。
【発明を実施するための最良の形態】
【００３９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４０】
図３は本実施形態による電子放出素子の駆動装置の構成を示す概略図である。図３に示したように，本実施形態による電子放出素子の駆動装置は，外部から映像データ信号を受信し，それに対応する第１カウントクロック，第２カウントクロックおよび第３カウントクロックを生成して出力する制御部３１０と，制御部３１０から出力される第１カウントクロック，第２カウントクロックおよび第３カウントクロックのいずれか１つを受け，映像データ信号をパルス幅変調して出力するデータ駆動部３２０とを含む。図３において，「Ｄ」は映像データ信号を，「Ｓ」は走査信号を表す。
【００４１】
また，上記駆動装置は，データ駆動部３２０から出力されたパルス幅変調信号を画像として表示する映像表示パネル３４０と，映像表示パネル３４０に走査信号を提供する走査駆動部３３０とをさらに含む。
【００４２】
制御部３１０は，入力される映像データを判断し，その映像データ信号の階調によって，第１カウントクロックまたは第２カウントクロックまたは第３カウントクロックを生成する。この際，第１カウントクロックまたは第２カウントクロックまたは第３カウントクロックは，Ｒ，Ｇ，Ｂサブピクセルに対する階調のカウントクロックに対応する。
【００４３】
ここで，制御部３１０においては，映像データ信号を判断し，それによるＲ，Ｇ，Ｂサブピクセル階調の第１カウントクロック，第２カウントクロックおよび第３カウントクロックのいずれか１つを選択して出力する。
【００４４】
たとえば，制御部３１０で判断された映像データ信号において，Ｒサブピクセルに対するホワイトバランスの調整が必要であれば，第１カウントクロックをオンタイムに対して調整し，制御部３１０で判断された映像データ信号において，Ｇサブピクセルに対するホワイトバランスの調整が必要であれば，第２カウントクロックをオンタイムに対して調整し，制御部３１０で判断された映像データ信号において，Ｂサブピクセルに対するホワイトバランスの調整が必要であれば，第３カウントクロックをオンタイムに対して調整する。
【００４５】
データ駆動部３２０は，制御部３１０に入力された映像データ信号を受けて並列映像データ信号に変換する直列−並列データ変換部３２１と，直列−並列データ変換部３２１で変換された並列映像データ信号および制御部３１０から出力した第１カウントクロックまたは第２カウントクロックまたは第３カウントクロックを受けて，パルス幅変調して出力するパルス幅変調部３２２と，パルス幅変調部３２２から出力された信号の極性を調整して出力する極性調整部３２３と，極性調整部３２３で極性を調整した信号の電圧レベルを調整して出力するレベル変換部３２４と，を含む。
【００４６】
直列−並列変換部３２１は，制御部３１０から直列映像データ信号を受ける。その後に，直列映像データ信号を映像表示パネル３４０のデータ線（図示せず）に印加するため，並列映像データ信号に変換して出力する。
【００４７】
パルス幅変調部３２２は，直列−並列変換部３２１で出力した並列映像データ信号をパルス幅変調クロック信号に合わせて変調した，パルス幅変調信号を生成する。すなわち，制御部３１０から発生したパルス幅変調クロック変換指数およびオンタイム変換指数に基づいて変換された，パルス幅変調信号およびオンタイムをそれぞれ受ける。
【００４８】
極性調整部３２３は，パルス幅変調部３２２から出力されたパルス幅変調信号と制御部３１０から出力された極性調整信号とを同時に受ける。その後に，極性調整信号によって選択的にパルス幅変調信号波形の極性を調整して出力する。
【００４９】
レベル変換部３２４は，映像表示パネル３４０のデータ電極に印加するための電圧形成部であって，極性調整部３２３から出力された映像データ信号の電圧レベルを調整して出力する。
【００５０】
一方，走査駆動部３３０は，走査線（図示せず）に，一定期間の間にローまたはハイ信号を，映像表示パネル３４０の特定行別に印加して，一定期間の間に特定行を選択するようにし，オンタイムによってブランキング信号のようなオンタイム決定信号の生成を行う。
【００５１】
映像表示パネル３４０は，複数のデータ線（ゲート電極またはカソード電極）と複数の走査線（ゲート電極またはカソード電極）が交差し，各交差点に画素（図示せず）が形成される。画素はゲート電極とカソード電極を備えており，データ線と走査線を介してデータ信号および走査信号を受ける。ここで，走査線を介して入力される走査信号により複数の画素行が順次選択され，データ信号がデータ線を介して，走査信号により選択された画素行に伝達されて画素で発光して画像を形成する。
【００５２】
ここで，制御部３１０で生成されたパルス幅変調カウントクロックがデータ駆動部３２０に，走査信号のオンタイムが走査駆動部３３０に印加され，単位映像，たとえばフレーム単位の映像データ信号の階調によるパルス幅変調周波数が変換される過程を以下に詳述する。
【００５３】
まず，制御部３１０では，外部から入力される映像データ信号のＲ，Ｇ，Ｂサブピクセル単位でカウントクロックを計算する。そして，各Ｒ，Ｇ，Ｂサブピクセルに対応する第１カウントクロック，第２カウントクロックおよび第３カウントクロックを生成する。
【００５４】
その後，生成された第１カウントクロック，第２カウントクロックおよび第３カウントクロックの内，映像データ信号に対応するいずれか１つを選択的に受けてパルス幅変調周波数を変調して出力する。
【００５５】
より詳細には，生成された第１カウントクロック，第２カウントクロックおよび第３カウントクロックの内，映像データ信号のＲサブピクセルに対応する第１カウントクロックを選択してパルス幅変調周波数を変調して出力し，映像データ信号のＧサブピクセルに対応する第２カウントクロックを選択してパルス幅変調周波数を変調して出力し，映像データ信号のＢサブピクセルに対応する第３カウントクロックを選択してパルス幅変調周波数を変調して出力する。
【００５６】
この際，変調されたパルス幅変調周波数によるパルスをカウントし，カウントされた時間によって映像データ信号の階調を表現する。もしくは，変調されたパルス幅変調周波数によるパルスをカウントし，カウントされた数に比例して電圧レベルを上昇もしくは下降させて映像データ信号の階調を表現する。
【００５７】
ここで，映像データ信号のＲ，Ｇ，Ｂサブピクセルの各階調の出力特性が異なるため，個別にパルス幅変調カウントクロックを生成し，階調ごとにホワイトバランスをＲ，Ｇ，Ｂサブピクセルの特性によって制御することができる。
【００５８】
すなわち，１サブピクセルの特性が相対的に優れるかまたは劣るとき，そのサブピクセルのみを制御するか，あるいは全体的にカウントクロックを制御することができるため，ホワイトバランスを調整することができる。
【００５９】
また，Ｒ，Ｇ，Ｂサブピクセルの個別的なガンマ補正ができるので，より正確なガンマ補正が行える。
【００６０】
図４は，本実施形態による，映像データ信号による走査信号およびパルス幅変調クロックの変化を示すタイミング図である。図４に示したように，たとえば図４（ｃ）のように高階調を有する映像データ信号が入力される場合，走査駆動部３３０へ出力されるオンタイム（ｏｎ）は，低階調を有する映像データ信号に比べ相対的に小さな値を有し，階調を表現するため，パルス変調周波数は相対的に大きな値を有する。このような場合，高階調の映像データ信号は，同一の階調値を有するデータ信号であっても，パルス幅変調周波数が高ければ，電子放出素子（図示せず）が駆動されるオンタイム（ｏｎ）が減少し，オフタイム（ｏｆｆ）は増加する。
【００６１】
そして，入力される映像データ信号が，図４（ａ）のように相対的に低い階調を有する場合，走査電極駆動部へ出力されるオンタイム（ｏｎ）は大きな値を有し，階調を表現するため，パルス変調周波数は相対的に小さな値を有する。このような場合，低階調の映像データ信号は，同一の階調値を有するデータ信号であっても，パルス幅変調周波数が低ければ，高階調を有する映像データ信号が入力される場合（ｃ）に比べて，電子放出素子（図示せず）が駆動されるオンタイム（ｏｎ）が相対的に増加し，オフタイム（ｏｆｆ）は減少する。
【００６２】
言い換えれば，一般のパルス幅変調方式の駆動方法は，パルス幅変調クロックの数をカウントし，その持続時間に相応するように階調を表現するものである。ところが，本実施形態においては，単位映像データ信号ごとに決定されたカウントクロックに基づき，その単位映像データ信号別にパルス幅変調周波数を変換して階調を表現する方式であって，高階調を有する映像信号は電子放出量を相対的に減少させ，低階調を有する映像信号は電子放出量を相対的に増加させる。
【００６３】
上述したように，映像データ信号によるそれぞれのカウントクロックを入力してパルス幅変調周波数の変換ができるように構成して，つまりＲ，Ｇ，Ｂサブピクセルに対する第１カウントクロック，第２カウントクロックおよび第３カウントクロックを生成して，映像データ信号の階調によるパルス幅変調周波数を出力することにより，ホワイトバランスおよびガンマ補正を制御することができる。
【００６４】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６５】
本発明は，各階調のホワイトバランスおよびガンマ補正を行って映像画質の均一性を向上させることが可能な電子放出素子の駆動装置およびその駆動方法に適用可能である。
【図面の簡単な説明】
【００６６】
【図１】従来の電子放出素子の駆動装置の構成を示す概略図である。
【図２】従来の映像データ信号による走査信号およびパルス幅変調クロックの変化を示すタイミング図である。
【図３】本発明の一実施形態による電子放出素子の駆動装置の構成を示す概略図である。
【図４】本発明の一実施形態による映像データ信号による走査信号およびパルス幅変調クロックの変化を示すタイミング図である。
【符号の説明】
【００６７】
１１０    制御部
１２０    データ駆動部
１２１    直列−並列データ変換部
１２２    パルス幅変調部
１２３    極性調整部
１２４    レベル変換部
１３０    走査駆動部
１４０    映像表示パネル
３１０    制御部
３２０    データ駆動部
３２１    直列−並列データ変換部
３２２    パルス幅変調部
３２３    極性調整部
３２４    レベル変換部
３３０    走査駆動部
３４０    映像表示パネル
【図１】
2006309126.tif 000003
【図２】
2006309126.tif 000004
【図３】
2006309126.tif 000005
【図４】
2006309126.tif 000006